(57)【要約】【課題】  異物が飛散し易い環境へダンパーを容易に対応させる。  【解決手段】一端にダンパー３取り付け用の取付口部７１を備え他端に貫通したロッド支持部６９を備えた中空のアダプタ本体６７を有し、前記ロッド支持部６９に、前記ダンパー３とは別体のアダプタ・ロッド７０を軸方向出没移動可能に密に支持させて一端を前記アダプタ本体６７外へ突出させ他端を前記アダプタ本体６７内で前記ダンパー３のピストン・ロッド１３に突き当て可能とした。    【選択図】  図１
2009257503.tif 000002
【特許請求の範囲】
【請求項１】
一端にダンパー取り付け用の取付口部を備え他端に貫通したロッド支持部を備えた中空のアダプタ本体を有し、
前記ロッド支持部に、前記ダンパーとは別体のアダプタ・ロッドを軸方向出没移動可能に密に支持させて一端を前記アダプタ本体外へ突出させ他端を前記アダプタ本体内で前記ダンパーのピストン・ロッドに突き当て可能とした、
ことを特徴とする耐環境アダプタ。
【請求項２】
一端に貫通したロッド支持部を備え他端にダンパーを取り付け用の取付口部を備えた中空のアダプタ本体を有し、
前記ロッド支持部に、前記ダンパーのピストン・ロッドを軸方向出没移動可能に密に支持させ先端を前記アダプタ本体外へ突出可能とした、
ことを特徴とする耐環境アダプタ。
【請求項３】
請求項１又は２記載の耐環境アダプタであって、
前記ロッド支持部に、前記アダプタ・ロッド又は前記ピストン・ロッドの移動をガイドするロッド・ガイドを設け、
前記ロッド・ガイドに、前記密に支持させるためのロッド側シール部材を設けた、
【請求項４】
請求項３記載の耐環境アダプタであって、
前記ロッド・ガイドは、前記アダプタ本体に対し別体で嵌合装着され、
前記ロッド側シール部材は、前記アダプタ・ロッド又はピストン・ロッドとの間のインナー・シール及びアダプタ本体との間のアウター・シールからなる、
ことを特徴とする耐環境アダプタ。
【請求項５】
請求項１，３，４の何れかに記載の耐環境アダプタであって、
前記アダプタ・ロッドは、前記ダンパーのピストン・ロッドと同径に形成された、
ことを特徴とする耐環境アダプタ。
【請求項６】
請求項１〜５の何れかに記載の耐環境アダプタであって、
前記アダプタ・ロッド又はピストン・ロッドに、周回状のフランジ部を設け、
前記フランジ部と前記ダンパーとの間に、前記アダプタ・ロッド又はピストン・ロッドを突出方向へ付勢する弾性部材を介設可能とした、
ことを特徴とする耐環境アダプタ。
【請求項７】
請求項１〜６の何れかに記載の耐環境アダプタであって、
前記アダプタ本体の取付口部及び前記ダンパー間に、密閉用のダンパー側シール部材を介設した、
ことを特徴とする耐環境アダプタ。
【請求項８】
請求項１〜７の何れかに記載の耐環境アダプタであって、
前記アダプタ本体の取付口部に、前記ダンパーが取り付けられた、
ことを特徴とする耐環境ダンパー装置。
【発明の詳細な説明】
【技術分野】
【０００１】
本発明は、切削油やゴミ等の異物が飛散し易い環境下用の耐環境アダプタ及び耐環境ダンパー装置に関する。
【背景技術】
【０００２】
ダンパー装置としては、例えば、シリンダ内にピストン・ロッドを介してピストンを配置するものがある。かかるダンパー装置は、ピストン・ロッドが外力を受けて軸方向移動し、ピストンを連動させて減衰力を発生させることができる。
【０００３】
しかしながら、従来のダンパー装置は、切削油やゴミ等の異物が飛散し易い環境下に設置されると、シリンダとピストン・ロッドとの間から異物が侵入するおそれがあった。
【０００４】
このため、前記環境下で用いる場合は、専用のシール構造を備えたダンパーを用いる必要等があり対応が困難なものとなっていた。
【特許文献１】特開２００１−３９７２
【発明の開示】
【発明が解決しようとする課題】
【０００５】
解決しようとする問題点は、切削油やゴミ等の異物が飛散し易い環境への対応が困難な点にある。
【課題を解決するための手段】
【０００６】
本発明は、切削油やゴミ等の異物が飛散し易い環境へ容易に対応させるために、一端に貫通したロッド支持部を備え他端にダンパー取り付け用の取付口部を備えた中空のアダプタ本体を有し、前記ロッド支持部に、前記ダンパーとは別体のアダプタ・ロッドを軸方向出没移動可能に密に支持させて一端を前記アダプタ本体外へ突出させ他端を前記アダプタ本体内で前記ダンパーのピストン・ロッドに突き当て可能としたことを最も主な特徴とする。
【発明の効果】
【０００７】
本発明の耐環境アダプタは、取付口部にダンパーを取り付けて、出没移動するアダプタ・ロッドを介してダンパーを動作させることができる。
【０００８】
そして、アダプタ・ロッドは、ロッド支持部によって密に支持されているため、その周囲からアダプタ本体内への異物の侵入を確実に防止することができる。この結果、異物が飛散し易い環境へダンパーを容易に対応させることができる。
【発明を実施するための最良の形態】
【０００９】
切削油やゴミ等の異物が飛散し易い環境へ容易に対応させるという目的を、コスト高を抑制しつつ実現した。
【実施例１】
【００１０】
図１は本発明の実施例１に係る耐環境ダンパー装置を示す断面図である。
［耐環境ダンパー装置］
本実施例の耐環境ダンパー装置１は、例えば異物としての切削油（クーラント）等が飛散し易い環境下で用いられるダンパー装置であり、図１のように、ダンパー３に耐環境アダプタ５が着脱可能に取り付けられてなっている。
［ダンパーの具体構成］
前記ダンパー３は、シリンダ７とピストン９とを備えている。
【００１１】
前記シリンダ７は、筒状に形成され、一端側が一体の端壁１１によって閉塞されると共に他端側がピストン・ロッド１３用のガイド１５によって閉塞されている。このシリンダ７内には、作動流体として例えばシリコン・オイルが封入されている。
【００１２】
前記シリンダ７内には、端壁１１にバネ受け部１７が固定されている。バネ受け部１７及びガイド１５間には、インナー・チューブ１９が嵌合支持されている。インナー・チューブ１９は、その内外を貫通するオリフィス（図示せず）を備え、内周側にピストン動作部２１を、外周側に環流部２３をそれぞれ区画形成している。インナー・チューブ１９の外周面には、独立気泡のゴム製アキュムレータ２５が設けられ、シリンダ７内の容積変化を許容する。
【００１３】
前記ピストン９は、樹脂或いは金属などにより形成されている。ピストン９は、シリンダ７のピストン動作部２１内に軸方向往復移動可能に配置され、その両側を圧力室２６及び非圧力室２７として区画している。ピストン９は、前記バネ受け部１７との間に弾性部材であるリターン・スプリング２９が配置され、非圧力室２７側に付勢されている。
【００１４】
前記ピストン９は、ピストン・ロッド１３を備えている。ピストン・ロッド１３は、一端部３１の段部３１ａがピストン９の端面９ａに突き当てられると共に一端部３１がピストン９の中心孔９ｂに嵌合している。ピストン・ロッド１３及びピストン９は、ピストン・ロッド１３の一端部３１に設けられた支持孔部３３とこれに対応するピストン９の一端部３１に設けられた支持孔部３５との間に嵌合されたスプリング・ピン３７によって結合されている。
【００１５】
前記ピストン・ロッド１３の一端部３１には、軸方向のボール受け孔３９が設けられている。ボール受け孔３９には小径の縦流通路４１が軸方向に連続して形成され、縦流通路４１には径方向の横流通路４３が連続している。
【００１６】
前記ボール受け孔３９には、縦流通路４１を開閉する鋼球４５が配置されている。鋼球４５は、スプリング・ピン３７によって区画された範囲内において軸方向移動可能となっている。従って、鋼球４５は、ピストン９の圧力室２６側への移動時にシリコン・オイルの圧力を受けて縦流通路４１に対する閉じ側へ動作し、同様にピストン９の非圧力側への移動時に縦流通路４１に対する開側へ動作するようになっている。
【００１７】
前記ピストン・ロッド１３の他端部は、前記ガイド１５を介してシリンダ７外部に突出している。ガイド１５は、シリンダ７の他端側内に嵌装され、非圧力室２７に隣接して設けられている。ガイド１５は、シリンダ７の開口端部に取り付けられたスペーサ４７、ストッパ・リング４９、及び蓋体５１によって抜け止めが行われている。
【００１８】
前記ガイド１５は、中空筒状に形成されており、軸心部の挿通孔５３にピストン・ロッド１３を貫通させている。ガイド１５の外周は、周回状の凹部５５内にガイド・シール５７が配置され、シリンダ７との間のシールが行われている。
【００１９】
前記ガイド１５の一端側は、径方向の環流孔５９を備え、環流部２３と挿通孔５３とを連通している。環流孔５９は、ピストン・ロッド１３との間の環流溝６１を介して非圧力室２７及びピストン・ロッド１３の一端部３１の横流通路４３に連通している。
【００２０】
前記ガイド１５の他端側にはシール支持凹部６３が設けられ、シール支持凹部６３内にはピストン・ロッド１３に摺接するＵパッキン等からなるロッド・シール６５が嵌合保持されている。ロッド・シール６５は、シリンダ７内のシリコン・オイルの流出防止方向に指向して配置されている。このロッド・シール６５は、前記スペーサ４７及びストッパ・リング４９によって脱落が防止されている。
【００２１】
このように構成されたダンパー３は、ピストン・ロッド１３がシリンダ７内へ収縮動作すると、ピストン９が連動して圧力室２６側へ軸方向移動する。
【００２２】
ピストン９が移動すると、鋼球４５がシリコン・オイルから圧力を受けて縦流通路４１側へ移動し、ダンピング動作を行う。すなわち、シリコン・オイルは、圧力室２６からインナー・チューブ１９のオリフィス、環流部２３、環流孔５９、環流溝６１を介して非圧力室２７側へ移動すると共に、インナー・チューブ１９とピストン９との間を介して非圧力室２７側へ移動する。この結果、ダンパー３は、所定のダンパー効果を発揮することができる。
【００２３】
一方、ピストン・ロッド１３がシリンダ７に対して伸張方向へ引き出されるときは、ピストン９がリターン・スプリング２９の付勢力によって非圧力室２７側に移動してピストン・ロッド１３を連動させる。
【００２４】
このとき、非圧力室２７側のシリコン・オイルは、非圧力室２７から環流溝６１、環流孔５９、環流部２３、インナー・チューブ１９のオリフィスを介して非圧力室２７側へ移動すると共に、横流通路４３及び縦流通路４１を通って鋼球４５に作用する。この結果、鋼球４５が反流通路側へ移動し、ピストン９に働くシリコン・オイルの圧力を小さくしてピストン９を軽く移動させることができる。
［耐環境アダプタの具体構成］
前記耐環境アダプタ５は、アダプタ本体６７とロッド支持部６９とアダプタ・ロッド７０とを備えている。
【００２５】
前記アダプタ本体６７は、中空筒状に形成され、一端側内周にダンパー取り付け用の取付口部７１を備え、他端側内周にロッド支持部６９を形成するため、形成口部７３を備えている。前記取付口部７１及び形成口部７３は、アダプタ本体６７の内径を拡大して形成されている。
【００２６】
前記取付口部７１は、外周がテーパ形状となっており、ダンパー３を支持するために肉厚の減少が抑制されている。取付口部７１の内周側には、雌ねじ部７１ａが形成されている。この雌ねじ部７１ａには、ダンパー３のシリンダ７外周に形成された雄ねじ部７ａが螺合している。かかる螺合と共に取付口部７１の段部７１ｂに対してダンパー３のシリンダ７他端が突き当てられ、耐環境アダプタ５に対してダンパー３が取り付けられている。
【００２７】
前記取付口部７１の開口縁部には、テーパ状のシール支持部７１ｃが形成されている。シール支持部７１ｃは、例えばＯリングからなるダンパー側シール部材７５を保持し、取付口部７１とダンパー３との間のシール（密閉）を行っている。取付口部７１の開口縁部に隣接して、ダンパー３の雄ねじ部７ａに螺合されたロック・ナット７７が配置されている。このロック・ナット７７により、ダンパー側シール部材７５の脱落防止及びダンパー３の抜け止めが行われている。
【００２８】
前記ロッド支持部６９は、ロッド・ガイド７９とロッド側シール部材８１とを備えている。ロッド・ガイド７９は、中空筒状に形成されており、アダプタ本体６７の形成口部７３内に嵌合装着されている。ロッド・ガイド７９の一端は、形成口部７３の段部７１ａに突き当てられ、同他端は、アダプタ本体６７の開口端部に取り付けられたスペーサ８３、ストッパ・リング８５によって抜け止めが行われている。アダプタ本体６７の開口端部には、蓋体８６も取り付けられている。
【００２９】
前記ロッド・ガイド７９は、軸心部に挿通孔８７が貫通形成されている。ロッド・ガイド７９の一端側外周には周回状のインナー凹部８９が形成され、ロッド・ガイド７９の他端側内周には周回状のアウター凹部９１が形成されている。
【００３０】
前記ロッド側シール部材８１は、インナー・シール９３及びアウター・シール９５からなる。インナー・シール９３は、例えば環状のＵパッキンからなり、ロッド・ガイド７９のインナー凹部８９に嵌合保持されている。インナー・シールは、アダプタ本体６７外からの異物侵入防止方向に指向して配置されている。このインナー・シール９３は、前記スペーサ８３及びストッパ・リング８５によって脱落が防止されている。
【００３１】
前記アウター・シール９５は、例えばＯリングからなり、ロッド・ガイド７９のアウター凹部９１に嵌合保持されている。このアウター・シール９５は、ロッド・ガイド７９とアダプタ本体６７との間をシール（密閉）している。
【００３２】
前記アダプタ・ロッド７０は、ロッド支持部６９に軸方向出没移動可能に密に支持されている。アダプタ・ロッド７０は、長尺円柱状に形成され、ロッド支持部６９のロッド・ガイド７９の挿通孔８７に軸方向移動可能に挿通支持されている。アダプタ・ロッド７０は、その外周面にインナー・シール９３が摺動自在に密接（シール）している。このアダプタ・ロッド７０は、ダンパー３のピストン・ロッド１３と同径に形成されると共に同軸上に配置されている。
【００３３】
前記アダプタ・ロッド７０の内端部（一端）９９はアダプタ本体６７内に配置され、同外端部（他端）１０１はアダプタ本体６７外に突出している。アダプタ・ロッド７０の一端は、その端面１０３がダンパー３のピストン・ロッド１３の端面１０４に突き当てられている。
【００３４】
アダプタ・ロッド７０の一端外周には、周回状のフランジ部１０５が設けられ、このフランジ部１０５とダンパー３のシリンダ７の蓋体５１との間に弾性部材としてのリターン・スプリング１０７が介設されている。
【００３５】
従って、アダプタ・ロッド７０は、リターン・スプリング１０７の付勢力によって突出方向へ付勢されている。なお、フランジ部１０５とロッド・ガイド７９との間には、ゴムなどからなるフランジ受け部材１０９が設けられている。
［耐環境ダンパー装置の作用］
まず、耐環境ダンパー装置１の組み付けについて説明する。
【００３６】
耐環境ダンパー装置１の組み付けは、耐環境アダプタ５へダンパー３を取り付けることによって行われる。かかる取り付けは、アダプタ本体６７の取付口部７１内にダンパー３の他端側を螺合していき、該ダンパー３の他端を取付口部７１の段部７１ｂに突き当てる。
【００３７】
この状態で、取付口部７１のシール支持部７１ｃにダンパー側シール部材７５を保持させ、ロック・ナット７７をダンパー３に螺合して耐環境アダプタ５の取付口部７１に突き当てる。
【００３８】
こうして組み付けられた耐環境ダンパー装置１は、切削油等が飛散し易い環境下に設置されて用いられる。
【００３９】
次いで、耐環境ダンパー装置１の動作について説明する。
【００４０】
本実施例の耐環境ダンパー装置１は、耐環境アダプタ５のアダプタ・ロッド７０が、その外端部１０１に外力を受けてアダプタ本体６７内へ没入動作すると、ダンパー３のピストン・ロッド１３を連動させる。かかる連動により、ダンパー３は、前記のようにピストン・ロッド１３がシリンダ７内へ収縮動作を行い、所定のダンパー効果を発揮する。
【００４１】
このとき、アダプタ・ロッド７０は、ピストン・ロッド１３と同径であるため、没入移動によるアダプタ本体６７内の体積変化を抑制することができ、円滑且つ確実に移動する。
【００４２】
一方、アダプタ・ロッド７０に対する外力が解除されると、アダプタ・ロッド７０は、リターン・スプリング１０７の付勢力によって突出状態へ復帰する。このとき、アダプタ・ロッド７０のフランジ部１０５は、ロッド支持部６９のロッド・ガイド７９との間に配置されたフランジ受け部材１０９によって衝撃が緩衝される。前記耐環境アダプタ５のアダプタ・ロッド７０の復帰と共に、前記のようにダンパー３のピストン・ロッド１３も突出状態へ復帰する。
【００４３】
かかる動作に際し、耐環境ダンパー装置１の周囲で飛散した切削油が、出没移動するアダプタ・ロッド７０外周面側から耐環境アダプタ５内に侵入しようとすることがある。この場合、耐環境アダプタ５は、アダプタ・ロッド７０の外周面が、侵入防止方向に指向して設置されたロッド支持部６９のインナー・シール９３に密接しているため、内部への切削油の侵入を確実に防止することができる。
［実施例の効果］
本実施例では、耐環境アダプタ５が、一端にダンパー３取り付け用の取付口部７１を備え他端に貫通したロッド支持部６９を備えた中空のアダプタ本体６７を有し、ロッド支持部６９に、ダンパー３とは別体のアダプタ・ロッド７０を軸方向出没移動可能に密に支持させて外端部（一端）１０１をアダプタ本体６７外へ突出させ内端部（他端）９９をアダプタ本体６７内でダンパー３のピストン・ロッド１３に突き当て可能としている。
【００４４】
従って、本実施例では、耐環境アダプタ５の取付口部７１にダンパー３を取り付け、耐環境アダプタ５のアダプタ・ロッド７０を介してダンパー３を動作可能とする耐環境ダンパー装置１を形成することができる。
【００４５】
前記耐環境アダプタ５は、アダプタ・ロッド７０がロッド支持部６９によって密に支持されているため、出没動作するアダプタ・ロッド７０の周囲から耐環境アダプタ５内部及びダンパー３側への切削油等の侵入を確実に防止することができ、ダンパー３を切削油等が飛散し易い設置環境に対応させることができる。
【００４６】
このように、本実施例では、耐環境アダプタ５をダンパー３に取り付けるだけで、専用のシール構造を備えたダンパー等を用いることなく、前記設置環境にダンパー３を容易且つ安価に対応させることができる。
【００４７】
前記耐環境アダプタ５は、ロッド支持部６９に、アダプタ・ロッド７０の移動をガイドするロッド・ガイド７９を備え、ロッド・ガイド７９に、密に支持させるためのロッド側シール部材８１を備えている。
【００４８】
このため、耐環境アダプタ５は、ロッド・ガイド７９によってガイドされたアダプタ・ロッド７０を、ロッド側シール部材８１によって密に支持することができ、より確実に耐環境アダプタ５内部及びダンパー３側への切削油等の侵入を防止することができる。加えて、耐環境アダプタ５の構造の簡素化や組み付け作業性の向上をも図ることができる。
【００４９】
前記ロッド・ガイド７９は、アダプタ本体６７に対し別体で嵌合装着され、ロッド側シール部材８１は、ロッド・ガイド７９とアダプタ・ロッド７０との間のインナー・シール９３及びロッド・ガイド７９とアダプタ本体６７との間のアウター・シール９５からなっている。
【００５０】
このため、耐環境アダプタ５は、より確実に構造の簡素化や組み付け作業性の向上を図ることができる。
【００５１】
しかも、耐環境アダプタ５は、アダプタ・ロッド７０及びロッド・ガイド７９間及びロッド・ガイド７９及びアダプタ本体６７間を、別構成のインナー・シール９３及びアウター・シール９５によってシールすることができる。
【００５２】
従って、耐環境アダプタ５は、インナー・シール９３及びアウター・シール９５に適切なシール部材を採用して、より確実に耐環境アダプタ５内部への切削油等の侵入を防止することができる。
【００５３】
前記アダプタ・ロッド７０は、ピストン・ロッド１３と同径であるため、耐環境アダプタ５内へ没入移動しても該耐環境アダプタ５内の体積変化を抑制することができる。
【００５４】
従って、耐環境アダプタ５は、アダプタ・ロッド７０を確実に没入移動させ、ピストン・ロッド１３を確実に連動させてダンパー３を動作させることができる。
【００５５】
前記耐環境アダプタ５は、アダプタ・ロッド７０に周回状のフランジ部１０５が設けられ、フランジ部１０５とダンパー３との間にアダプタ・ロッド７０を突出方向へ付勢するリターン・スプリング１０７が介設されている。
【００５６】
このため、耐環境ダンパー装置１のダンピング動作後は、アダプタ・ロッド７０を突出状態へ確実に復帰させることができ、動作をより円滑に行わせることができる。
【００５７】
前記アダプタ本体６７の取付口部７１及びダンパー３間には、密閉用のダンパー側シール部材７５を介設されている。このため、耐環境アダプタ５は、取付口部７１側からの切削油等の侵入を防止することができる。従って、より確実に耐環境アダプタ５内部への切削油等の侵入を防止することができ、より確実にダンパー３を設置環境に対応させることができる。
［変形例］
図２は、実施例１に係る耐環境ダンパー装置の変形例を示す断面図である。なお、実施例１と対応する構成部分には同符号又は同符号にＡを付加して詳細な説明を省略する。
【００５８】
図２のように、本変形例では、実施例１の耐環境アダプタ５に対し、リターン・スプリング及びアダプタ・ロッド７０Ａのフランジ部を省略している。
【００５９】
かかる変形例では、ダンピング動作時のアダプタ・ロッド７０Ａに対する外力が解除されると、アダプタ・ロッド７０Ａがダンパー３のリターン・スプリング２９の付勢力によって突出状態へ復帰する。
【００６０】
かかる変形例においても、上記実施例１と同様の作用効果を奏することができる。
【実施例２】
【００６１】
図３は、実施例２に係る耐環境ダンパー装置を示す断面図である。なお、図３では、上記実施例１と対応する構成部分に同符号又は同符号にＢを付加して詳細な説明を省略する。
【００６２】
図３のように、本実施例の耐環境ダンパー装置１Ｂは、例えば異物としての埃やゴミ等が飛散し易い環境下で用いられるものであり、耐環境アダプタ５Ｂのインナー・シール９３Ｂがダスト・シールによって構成されている。
【００６３】
すなわち、インナー・シール９３Ｂは、内周側にリップ部９３Ｂａを備え、リップ部９３Ｂａがアダプタ・ロッド７０に摺動自在に密接してゴミ等の侵入を防止している。従って、本実施例においても、上記実施例と同様の作用効果を奏することができる。
［変形例］
なお、図４の変形例のように、実施例１と同様、耐環境アダプタ５Ｃのリターン・スプリング及びアダプタ・ロッド７０Ｃのフランジ部を省略することができる。
【００６４】
かかる変形例においても、上記実施例２と同様の作用効果を奏することができる。
【実施例３】
【００６５】
図５は、実施例３に係る耐環境ダンパー装置を示す断面図である。なお、図５では、上記実施例１と対応する構成部分に同符号又は同符号にＤを付加して詳細な説明を省略する。
【００６６】
図５のように、本実施例では、耐環境アダプタ５Ｄのロッド支持部６９Ｄに、ダンパー３Ｄのピストン・ロッド１３Ｄを軸方向出没移動可能に密に支持させるようにしたものである。
【００６７】
すなわち、耐環境ダンパー装置１Ｄでは、アダプタ・ロッドを省略すると共に、ダンパー３Ｄのピストン・ロッド１３Ｄを軸方向に延設して、先端を耐環境アダプタ５Ｄのアダプタ本体６７外へ突出させている。
【００６８】
本実施例では、上記実施例と同様の作用効果を奏することができるのに加え、アダプタ・ロッドを省略して構造の簡素化を図ることができると共に、ダイレクトなダンパー効果を得ることができる。
［変形例］
なお、図６の変形例のように、実施例１と同様、耐環境アダプタ５Ｅのリターン・スプリング及びアダプタ・ロッド７０Ｅのフランジ部を省略することができる。
【００６９】
かかる変形例においても、上記実施例３と同様の作用効果を奏することができる。
［その他］
本発明は上記実施例に限定されるものではなく、各種の設計変更が可能である。例えば、ロッド支持部６９はロッド・ガイド７９を備えると共にロッド・ガイド７９にインナー・シール９３及びアウター・シール９５を保持していたが、ロッド・ガイドを省略してもよい。この場合、シリンダの他端に一体の端壁を設け、この端壁にロッド側シール部材を保持させるようにしてもよい。
【００７０】
また、耐環境アダプタ５のアダプタ本体６７にチェック・バルブ等を設けて、アダプタ本体６７内の圧力を逃がすようにすることも可能である。
【００７１】
さらに、ダンパーは、上記ダンパー３に限られず、シリンダ、ピストン、ピストン・ロッドを備えて減衰力を発生させることができればよく、いわゆる引きダンパーであってもよい。
【図面の簡単な説明】
【００７２】
【図１】耐環境ダンパー装置を示す断面図である（実施例１）。
【図２】変形例に係る耐環境ダンパー装置を示す断面図である（実施例１）。
【図３】耐環境ダンパー装置を示す断面図である（実施例２）。
【図４】変形例に係る耐環境ダンパー装置を示す断面図である（実施例２）。
【図５】耐環境ダンパー装置を示す断面図である（実施例３）。
【図６】変形例に係る耐環境ダンパー装置を示す断面図である（実施例３）。
【符号の説明】
【００７３】
１  耐環境ダンパー装置
３  ダンパー
５  耐環境アダプタ
１３  ピストン・ロッド
６７  アダプタ本体
６９  ロッド支持部
７１  取付口部
９７  アダプタ・ロッド  
【図１】
2009257503.tif 000003
【図２】
2009257503.tif 000004
【図３】
2009257503.tif 000005
【図４】
2009257503.tif 000006
【図５】
2009257503.tif 000007
【図６】
2009257503.tif 000008